(57)【要約】【課題】店舗間の在庫振替により過剰在庫を有効活用する。【解決手段】店舗毎の発注数が対応付けられた発注対象商品の識別情報と、店舗毎の振替用在庫数が対応付けられた振替対象商品の識別情報とが一致する場合、前記振替用在庫数を前記発注数に引き当てる引き当て手段と、前記引き当て手段によって前記発注数として引き当てられた数量と、前記発注対象商品の発注元の店舗である振替先店舗と、前記振替対象商品の登録元の店舗である振替元店舗と、前記振替対象商品の識別情報と、を有する店間振替指示データを出力するデータ出力手段と、を備える。【選択図】図１３
2013054674.tif 000002
【特許請求の範囲】
【請求項１】
店舗毎の発注数が対応付けられた発注対象商品の識別情報と、店舗毎の振替用在庫数が対応付けられた振替対象商品の識別情報とが一致する場合、前記振替用在庫数を前記発注数に引き当てる引き当て手段と、
前記引き当て手段によって前記発注数として引き当てられた数量と、前記発注対象商品の発注元の店舗である振替先店舗と、前記振替対象商品の登録元の店舗である振替元店舗と、前記振替対象商品の識別情報と、を有する店間振替指示データを出力するデータ出力手段と、
を備える商品発注管理装置。
【請求項２】
前記振替対象商品を識別する前記識別情報と、前記引き当て手段によって引き当て可能な前記振替用在庫数とを含む商品振替データの入力を受け付ける商品振替データ入力手段と、
前記商品振替データを記憶部に記憶する商品振替データ記憶手段と、
を備える請求項１記載の商品発注管理装置。
【請求項３】
前記発注対象商品を識別する前記識別情報と、前記発注数とを含む商品発注データの入力を受け付ける商品発注データ入力手段と、
前記商品発注データを記憶部に記憶する商品発注データ記憶手段と、
を備える請求項１または２記載の商品発注管理装置。
【請求項４】
前記記憶部に記憶されている前記商品振替データを、店舗または商品で並べ替えて一覧表示する一覧表示手段を備える請求項２記載の商品発注管理装置。
【請求項５】
前記データ出力手段は、前記店間振替指示データに応じた店間振替指示書を印字発行する、
を備える請求項１ないし４のいずれか一記載の商品発注管理装置。
【請求項６】
コンピュータに、
店舗毎の発注数が対応付けられた発注対象商品の識別情報と、店舗毎の振替用在庫数が対応付けられた振替対象商品の識別情報とが一致する場合、前記振替用在庫数を前記発注数に引き当てる引き当て手段と、
前記引き当て手段によって前記発注数として引き当てられた数量と、前記発注対象商品の発注元の店舗である振替先店舗と、前記振替対象商品の登録元の店舗である振替元店舗と、前記振替対象商品の識別情報と、を有する店間振替指示データを出力するデータ出力手段と、
を実行させるプログラム。 
【発明の詳細な説明】
【技術分野】
【０００１】
本発明の実施形態は、商品発注管理装置およびプログラムに関する。
【背景技術】
【０００２】
例えば複数のチェーン店舗を統括管理する量販店の本部では、一般に、各店舗にそれぞれ発注用端末を設置し、本部にホストコンピュータを主体とした商品発注管理装置を設置して、各店舗の発注用端末と量販店本部の商品発注管理装置とを通信回線で接続した商品発注システムが構築されている。
【０００３】
従来のこの種の商品発注システムは、発注用端末にて発注対象商品の商品コード，発注数，仕入先コード，発注日，納品日等のデータが入力されると、これらの入力データを元に商品発注データを作成し、通信回線を介して商品発注管理装置に送信する。
【０００４】
商品発注管理装置では、各発注用端末から通信回線を介して受信した商品発注データを発注データファイルで蓄積記憶する。そして、発注業務が起動されると、発注データファイルに蓄積記憶された商品発注データの中から発注日が発注業務当日に一致するデータを抜粋し、そのデータを基に例えば仕入先別に発注対象商品の発注内容を記録した発注伝票を作成して、発注を行なう。
【発明の概要】
【発明が解決しようとする課題】
【０００５】
ところで、従来においては、量販店本部においてどの店舗でどの商品が過剰在庫になっているかを把握することはできなかった。また、各店舗においては、店舗で過剰在庫になってしまった商品をなんとかしたいという要望がある。
【課題を解決するための手段】
【０００６】
実施形態の商品発注管理装置は、店舗毎の発注数が対応付けられた発注対象商品の識別情報と、店舗毎の振替用在庫数が対応付けられた振替対象商品の識別情報とが一致する場合、前記振替用在庫数を前記発注数に引き当てる引き当て手段と、前記引き当て手段によって前記発注数として引き当てられた数量と、前記発注対象商品の発注元の店舗である振替先店舗と、前記振替対象商品の登録元の店舗である振替元店舗と、前記振替対象商品の識別情報と、を有する店間振替指示データを出力するデータ出力手段と、を備える。
【０００７】
実施形態のプログラムは、コンピュータに、店舗毎の発注数が対応付けられた発注対象商品の識別情報と、店舗毎の振替用在庫数が対応付けられた振替対象商品の識別情報とが一致する場合、前記振替用在庫数を前記発注数に引き当てる引き当て手段と、前記引き当て手段によって前記発注数として引き当てられた数量と、前記発注対象商品の発注元の店舗である振替先店舗と、前記振替対象商品の登録元の店舗である振替元店舗と、前記振替対象商品の識別情報と、を有する店間振替指示データを出力するデータ出力手段と、を実行させる。
【図面の簡単な説明】
【０００８】
【図１】図１は、本実施形態における発注管理システムを示す全体構成図である。
【図２】図２は、商品発注データの主要なデータ構造を示す模式図である。
【図３】図３は、商品振替データの主要なデータ構造を示す模式図である。
【図４】図４は、サーバのＣＰＵの機能構成を示す機能ブロック図である。
【図５】図５は、在庫振替商品入力処理の流れを示すフローチャートである。
【図６】図６は、在庫振替商品入力画面の一例を示す模式図である。
【図７】図７は、在庫振替商品照会処理の流れを示すフローチャートである。
【図８】図８は、在庫振替商品照会画面の一例を示す模式図である。
【図９】図９は、在庫振替商品照会画面の一例を示す模式図である。
【図１０】図１０は、在庫商品振替処理の流れを示すフローチャートである。
【図１１】図１１は、在庫振替商品の引当処理における処理結果の一例を示す図である。
【図１２】図１２は、在庫振替商品の引当処理における処理結果の一例を示す図である。
【図１３】図１３は、店間振替指示書を示す平面図である。
【発明を実施するための形態】
【０００９】
本実施形態について、図面を参照しながら説明する。なお、本実施形態は、複数のチェーン店舗を本部で統轄管理する量販店などに構築される通信回線を利用した発注管理システムのサーバ１を商品発注管理装置に適用した場合である。
【００１０】
図１は、本実施形態における発注管理システムを示す全体構成図である。図１に示すように、発注管理システムは、マスタデータ更新装置として機能するサーバ１にネットワーク３を介して複数の発注装置２を接続することによって構築されている。サーバ１は、量販店の例えば本部に設置されている。また、発注装置２は、通常、量販店の各チェーン店舗にそれぞれ設けられている。１店舗あたり１台でもよいし、複数台設けられていてもよい。
【００１１】
発注装置２は、パーソナルコンピュータやハンディターミナル等のようなデータ通信機能を有した情報処理装置で構成される。発注装置２は、発注対象商品の商品コード，発注数，仕入先コード，発注日等の商品発注データの入力を受付ける機能を有しており、入力された商品発注データを、ネットワーク３を介してサーバ１に伝送するように構成されている。
【００１２】
図１に示すように、サーバ１は、制御部本体としてＣＰＵ（Central  Processing  Unit）１１を搭載している。そして、このＣＰＵ１１に、アドレスバス，データバス等のバスライン１２を介して、ＲＯＭ（Read  Only  Memory）１３、ＲＡＭ（Random  Access  Memory）１４、時計部１５、通信コントローラ１６、ＨＤＤ（Hard  Disk  Drive）コントローラ１７、入力デバイスコントローラ１８、表示コントローラ１９、プリンタコントローラ２０等の各部を接続している。
【００１３】
ＲＯＭ１３には、プログラム等の固定的データが予め格納されている。ＲＡＭ１４は、後述するワークテーブルとして機能し、各種データを一時的に記憶するためのメモリエリアが形成されている。時計部１５では、現在の日付及び時刻が計時されている。通信コントローラ１６は、ネットワーク３を介して接続された各発注装置２との間のデータ通信を制御する。ＨＤＤコントローラ１７は、記憶部であるＨＤＤ装置２２に対するデータの書込み及び読出しを制御する。入力デバイスコントローラ１８は、キーボード，マウス等の入力デバイス２３を制御し、これら入力デバイス２３を介して入力されたデータを取込んでＣＰＵ１１に与える。表示コントローラ１９は、ディスプレイ装置等の表示部２４を制御し、ＣＰＵ１１から与えられる表示データに基づく画像を表示させる。プリンタコントローラ２０は、伝票用紙への印刷が可能なプリンタ２５の駆動を制御する。
【００１４】
サーバ１は、ＨＤＤ装置２２に、発注データファイル３０と在庫振替商品テーブル４０とを保存する。
【００１５】
発注データファイル３０は、各発注装置２から送られてきた商品発注データを蓄積記憶する。図２は、発注データファイル３０に保存される商品発注データの主要なデータ構造を示す模式図である。図２に示すように、商品発注データは、発注元店舗を識別する店舗コード３１、発注日付３２、発注対象商品の商品コード３３、納品日３４、仕入先を特定する仕入先コード３５、発注対象商品を分類する分類コード３６及び発注数３７等の各種データ項目で構成されている。
【００１６】
在庫振替商品テーブル４０は、量販店の各チェーン店舗から本部に送付された過剰在庫商品の振替依頼書に従って入力された商品振替データを蓄積記憶する。図３は、在庫振替商品テーブル４０に保存される商品振替データの主要なデータ構造を示す模式図である。図３に示すように、商品振替データは、振替元店舗を識別する店舗コード４１、振替対象商品の商品コード４２、振替対象商品の商品名４３、振替対象商品の振替用在庫数４４、振替対象商品の振替済数４５及び振替対象商品の残り数４６等の各種データ項目で構成されている。
【００１７】
ここで、振替用在庫数４４、振替済数４５及び残り数４６について説明する。振替用在庫数４４は、後述する在庫振替商品入力処理における入力値である。したがって、振替用在庫数４４は、入力前においては“０”である。振替済数４５は、他の店舗に振り替えた数であって、後述する在庫振替商品入力処理の前における現状の振替済数である。ただし、後述する在庫振替商品入力処理のテーブル更新時においては“０”に置き換えられる。残り数４６は、後述する在庫振替商品入力処理の前においてはあくまでも入力前の残り数である。ただし、後述する在庫振替商品入力処理のテーブル更新時において振替用在庫数４４である入力値に置き換えられる。
【００１８】
サーバ１は、商品発注管理装置としての機能を実現させるためのプログラムをＨＤＤ装置２２に実装している。このプログラムが起動すると、サーバ１のＣＰＵ１１は、図４に示すように、引き当て手段１１１とデータ出力手段１１２と商品振替データ入力手段１１３と商品振替データ記憶手段１１４と商品発注データ入力手段１１５と商品発注データ記憶手段１１６と一覧表示手段１１７として機能し、後述するフローチャートに示す手順で各部を制御する。
【００１９】
商品発注データ入力手段１１５は、前述したように、発注対象商品を識別する識別情報（商品コード）と、発注数とを含む商品発注データの入力を発注装置２から受け付ける。また、商品発注データ記憶手段１１６は、前述したように、商品発注データを発注データファイル３０に記憶する。
【００２０】
商品振替データ入力手段１１３は、振替対象商品を識別する識別情報（商品コード）と、引き当て手段１１１によって引き当て可能な振替用在庫数とを含む商品振替データの入力を受け付ける。また、商品振替データ記憶手段１１４は、商品振替データを在庫振替商品テーブル４０に記憶する。
【００２１】
引き当て手段１１１は、店舗毎の発注数が対応付けられた発注対象商品の識別情報（商品コード）と、店舗毎の振替用在庫数が対応付けられた振替対象商品の識別情報（商品コード）とが一致する場合、振替用在庫数を発注数に引き当てる。また、データ出力手段１１２は、引き当て手段１１１によって発注数として引き当てられた数量と、発注対象商品の発注元の店舗である振替先店舗と、振替対象商品の登録元の店舗である振替元店舗と、振替対象商品の識別情報（商品コード）と、を有する店間振替指示データを出力する。
【００２２】
一覧表示手段１１７は、在庫振替商品テーブル４０に記憶されている商品振替データを、店舗または商品で並べ替えて一覧表示する。
【００２３】
まず、サーバ１が発揮する商品発注管理装置としての機能の内、在庫振替商品テーブル４０に対するデータ設定業務「在庫振替商品入力業務」の処理手順を図５のフローチャートで示す。入力デバイス２３の操作入力により、表示部２４に表示された業務メニュー画面の中から「在庫振替商品入力業務」が選択され、在庫振替商品入力処理の実行が指令されると、ＣＰＵ１１は、ＨＤＤ装置２２に記憶されているプログラムに従い、この処理手順を開始する。
【００２４】
まず、ＣＰＵ１１は、表示部２４の画面を業務メニュー画面から在庫振替商品入力画面５０に切り替える（ステップＳ１）。
【００２５】
在庫振替商品入力画面５０の一例を図６に示す。在庫振替商品入力画面５０には、商品振替データを構成する各種データ項目の項目名リスト５１と、振替元店舗を選択する店舗選択エリア５２と、振替対象商品の商品コードの入力エリア５３と、振替対象商品の振替用在庫数の入力エリア５４と、入力ボタン５５と、削除ボタン５６と、商品名検索ボタン５７と、確定ボタン５８と、終了ボタン５９と、前画面ボタン６０とが表示されている。
【００２６】
ＣＰＵ１１は、オペレータが店舗選択エリア５２において店舗を選択して確定ボタン５８を操作したと判断すると（ステップＳ２のＹＥＳ）、選択された店舗の店舗コード４１に対応付けられた在庫振替商品テーブル４０における商品振替データ（商品コード４２、商品名４３、振替用在庫数４４、振替済数４５及び残り数４６等）を、項目名リスト５１に振替在庫一覧として表示する（ステップＳ３）。
【００２７】
ＣＰＵ１１は、このように振替在庫一覧が表示された状態で、オペレータが入力ボタン５５を操作した後、振替対象商品の商品コードの入力エリア５３において振替対象商品の商品コードを入力して確定ボタン５８が操作されたと判断すると（ステップＳ４のＹＥＳ）、ステップＳ５に進む。
【００２８】
なお、振替対象商品の商品コードの入力エリア５３に対する振替対象商品の商品コードの入力は、入力デバイスコントローラ１８によって入力するものであっても良いし、図示しないスキャナによりバーコード化された商品コードを読み取って入力するものであっても良い。さらに、振替対象商品の商品コードの入力エリア５３に対する振替対象商品の商品コードの入力は、商品名検索ボタン５７を操作することでＣＰＵ１１が表示部２４の画面に表示する商品一覧表（図示せず）から所望の商品を選択することで商品コードを入力するものであっても良い。
【００２９】
ＣＰＵ１１（商品振替データ入力手段１１３、商品振替データ記憶手段１１４）は、オペレータが振替対象商品の振替用在庫数の入力エリア５４において振替対象商品の振替用在庫数を入力して確定ボタン５８を操作したと判断すると（ステップＳ５のＹＥＳ）、入力された振替用在庫数が反映された商品振替データで在庫振替商品テーブル４０を更新する（ステップＳ６）。
【００３０】
なお、項目名リスト５１に表示された振替在庫一覧から所望の商品振替データをダブルクリックすることで、ステップＳ４の振替対象商品の商品コードの入力（ステップＳ４のＹＥＳ）、および、ステップＳ５の振替対象商品の振替用在庫数の入力エリア５４に対する振替対象商品の振替用在庫数の入力（ステップＳ５のＹＥＳ）を、行うことが可能である。
【００３１】
次に、サーバ１が発揮する商品発注管理装置としての機能の内、在庫振替商品テーブル４０に対するデータ照会業務「在庫振替商品照会業務」の処理手順を図７のフローチャートで示す。入力デバイス２３の操作入力により、表示部２４に表示された業務メニュー画面の中から「在庫振替商品照会業務」が選択され、在庫振替商品照会処理の実行が指令されると、ＣＰＵ１１は、ＨＤＤ装置２２に記憶されているプログラムに従い、この処理手順を開始する。
【００３２】
まず、ＣＰＵ１１は、表示部２４の画面を業務メニュー画面から在庫振替商品照会画面７０に切り替える（ステップＳ１１）。
【００３３】
在庫振替商品照会画面７０の一例を図８および図９に示す。図８および図９に示す在庫振替商品照会画面７０は、振替元となる店舗を指定して該当店舗における振替対象商品を一覧表示する店舗指定モードと、振替対象商品を指定して該当商品を振替対象商品として登録している店舗を一覧表示する商品指定モードとに切り替えるための店舗指定ボタン７１および商品指定ボタン７２を有している。また、図７および図８に示す在庫振替商品照会画面７０は、店舗指定ボタン７１が操作されて店舗指定モードとなった場合に、振替元店舗を指定する店舗指定エリア７３と、商品指定ボタン７２が操作されて商品指定モードとなった場合に、振替対象商品の商品コードの入力エリア７４とを有している。
【００３４】
ＣＰＵ１１は、オペレータが店舗指定ボタン７１を操作したと判断すると（ステップＳ１２のＹＥＳ）、在庫振替商品照会画面７０を店舗指定モードに切り替え（ステップＳ１４）、店舗指定エリア７３に対する振替元店舗の店舗コードの入力に待機する（ステップＳ１５）。
【００３５】
図８に示す在庫振替商品照会画面７０は、店舗指定ボタン７１が操作されて店舗指定モードとなっている例である。図８に示すように、店舗指定モードの在庫振替商品照会画面７０には、振替対象商品を選択する商品選択エリア８１と、データの表示指定種別を選択する表示指定選択エリア８２と、商品名検索ボタン８３と、確定ボタン８４と、終了ボタン８５と、前画面ボタン８６とが表示されている。
【００３６】
なお、表示指定選択エリア８２は、在庫振替商品テーブル４０の全データを対象とするか、在庫振替商品テーブル４０の振替用残在庫数が“０”以外のデータを対象とするか、在庫振替商品テーブル４０の振替用残在庫数が“０”のデータを対象とするかを選択するエリアである。
【００３７】
ＣＰＵ１１（一覧表示手段１１７）は、オペレータが表示指定選択エリア８２における表示指定の選択をし、店舗指定エリア７３に振替元店舗の店舗コードを入力して確定ボタン８４を操作したと判断すると（ステップＳ１５のＹＥＳ）、表示指定選択エリア８２の選択に応じ、店舗指定モードの在庫振替商品照会画面７０の商品選択エリア８１に、指定された店舗の店舗コード４１に対応付けられた在庫振替商品テーブル４０における商品振替データ（商品コード４２、商品名４３、振替用在庫数４４、振替済数４５及び残り数４６等）を表示する（ステップＳ１６）。
【００３８】
一方、ＣＰＵ１１は、オペレータが商品指定ボタン７２を操作したと判断すると（ステップＳ１３のＹＥＳ）、在庫振替商品照会画面７０を商品指定モードに切り替え（ステップＳ１７）、振替対象商品の商品コードの入力エリア７４に対する振替対象商品の商品コードの入力に待機する（ステップＳ１８）。
【００３９】
図９に示す在庫振替商品照会画面７０は、商品指定ボタン７２が操作されて商品指定モードとなっている例である。図９に示すように、商品指定モードの在庫振替商品照会画面７０には、振替元となる店舗を選択する店舗選択エリア９１と、データの表示指定種別を選択する表示指定選択エリア９２と、商品名検索ボタン９３と、確定ボタン９４と、終了ボタン９５と、前画面ボタン９６とが表示されている。
【００４０】
なお、表示指定選択エリア９２は、在庫振替商品テーブル４０の全データを対象とするか、在庫振替商品テーブル４０の振替用残在庫数が“０”以外のデータを対象とするか、在庫振替商品テーブル４０の振替用残在庫数が“０”のデータを対象とするかを選択するエリアである。
【００４１】
ＣＰＵ１１（一覧表示手段１１７）は、オペレータが表示指定選択エリア９２における表示指定の選択をし、振替対象商品の商品コードの入力エリア７４に対する振替対象商品の商品コードを入力して確定ボタン９４を操作したと判断すると（ステップＳ１８のＹＥＳ）、表示指定選択エリア９２の選択に応じ、商品指定モードの在庫振替商品照会画面７０の店舗選択エリア９１に、振替対象商品の商品コード４２に対応付けられた在庫振替商品テーブル４０における商品振替データ（振替元となる店舗の店舗コード４１、振替用在庫数４４、振替済数４５及び残り数４６等）を表示する（ステップＳ１９）。
【００４２】
なお、振替対象商品の商品コードの入力エリア７４に対する振替対象商品の商品コードの入力は、入力デバイスコントローラ１８によって入力するものであっても良いし、図示しないスキャナによりバーコード化された商品コードを読み取って入力するものであっても良い。さらに、振替対象商品の商品コードの入力エリア７４に対する振替対象商品の商品コードの入力は、商品名検索ボタン９３を操作することでＣＰＵ１１が表示部２４の画面に表示する商品一覧表（図示せず）から所望の商品を選択することで商品コードを入力するものであっても良い。
【００４３】
このような在庫振替商品テーブル４０に対するデータ照会業務「在庫振替商品照会業務」により、オペレータは、店舗を指定しての店舗商品一覧と商品を指定しての店舗別在庫状況一覧とのいずれかの照会方法によって、過剰在庫商品を照会（確認）することができる。
【００４４】
次いで、サーバ１が発揮する商品発注管理装置としての機能の内、「在庫商品振替業務」の処理手順を図１０のフローチャートで示す。入力デバイス２３の操作入力により、表示部２４に表示された業務メニュー画面の中から「在庫商品振替業務」が選択され、在庫商品振替処理の実行が指令されると、ＣＰＵ１１は、ＨＤＤ装置２２に記憶されているプログラムに従い、この処理手順を開始する。
【００４５】
まず、ＣＰＵ１１は、発注データファイル３０の商品発注データにおける発注対象商品の商品コード３３を入力順に抽出して、在庫振替商品テーブル４０に保存される商品振替データの振替対象商品の商品コード４２と比較する（ステップＳ２１）。すなわち、発注対象商品が振替対象商品にあるかどうかを確認する。
【００４６】
ＣＰＵ１１は、発注対象商品の商品コード３３と一致する振替対象商品の商品コード４２が在庫振替商品テーブル４０にあると判断した場合（ステップＳ２２のＹＥＳ）、当該振替対象商品の商品コード４２を含む商品振替データを抽出する（ステップＳ２３）。
【００４７】
続いて、ＣＰＵ１１は、抽出した商品振替データに対する在庫振替商品の引当処理を実行し（ステップＳ２４）、引当処理後に別途発注が必要だと判断した場合（ステップＳ２５のＹＥＳ）、発注処理を実行する（ステップＳ２６）。
【００４８】
ここで、在庫振替商品の引当処理について図１１および図１２に示す例を参照しつつ説明する。ＣＰＵ１１（引き当て手段１１１）は、在庫振替商品の引当処理において、商品発注データにおける今回要求の発注数を満たす過剰在庫の店舗がある場合には、当該店舗の商品振替データから引き当てる。例えば、図１１に示すように、要求の発注数を満たす店舗が２つ以上あった場合は、入力順とする。図１１に示す例によれば、店舗“２”が振替元として指定され、発注数と同じ数が振り替えられる。
【００４９】
また、ＣＰＵ１１（引き当て手段１１１）は、在庫振替商品の引当処理において、例えば図１２に示すように、要求の発注数を満たす店舗が無い場合には、各店舗毎の商品振替データからそれぞれ引き当てる。図１２に示す例によれば、店舗“２”，“３”，“４”が振替元として指定され、発注入力順に、その合計数が発注数に到達するように振り替えられる。なお、図１２に示す例によれば、発注数“３０”に対して振替済み数は“２５”で５個足りないことになるので、５個については発注処理（ステップＳ２６）が実行されることになる。
【００５０】
また、ＣＰＵ１１（引き当て手段１１１）は、在庫振替商品の引当処理において、図１１および図１２に示すような振替指示データを作成してＲＡＭ１４に一時的に記憶する。振替指示データは、商品発注データの店コードである振替先店舗と、引き当て可能店舗の店コードである振替元店舗と、振替対象商品の商品コードと、数量とを有している。
【００５１】
ＣＰＵ１１（データ出力手段１１２）は、在庫振替商品の引当処理において、上述した振替指示データに従って店間振替指示書データを作成し、プリンタ２５から図１３に示す店間振替指示書１００を出力する。この店間振替指示書１００は、ファクシミリなどを介して本部から振替元店舗（出庫店舗）に送付される。そして、店間振替指示書１００が送付された振替元店舗（出庫店舗）は、この店間振替指示書１００にしたがって振替先店舗（入庫店舗）に商品を送付する。一方、振替元店舗（出庫店舗）から商品を受け取った振替先店舗（入庫店舗）は、移動実績をハンディターミナル（図示せず）に入力して本部へ送信する。
【００５２】
このように、本実施形態のマスタデータ更新装置として機能するサーバ１によれば、店舗毎の発注数が対応付けられた発注対象商品の識別情報と、店舗毎の振替用在庫数が対応付けられた振替対象商品の識別情報とが一致する場合、振替用在庫数を発注数に引き当て、発注数として引き当てられた数量と、発注対象商品の発注元の店舗である振替先店舗と、振替対象商品の登録元の店舗である振替元店舗と、振替対象商品の識別情報と、を有する店間振替指示データを出力する。これにより、店舗間の在庫振替により過剰在庫を有効活用することができる。
【００５３】
また、在庫振替商品テーブル４０に記憶されている商品振替データを、店舗または商品で並べ替えて一覧表示することにより、各店舗の過剰在庫商品を本部で把握することができる。
【００５４】
本実施形態のマスタデータ更新装置として機能するサーバ１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５５】
また、本実施形態のマスタデータ更新装置として機能するサーバ１で実行されるプログラムを、インターネット等のネットワークに接続されたコンピュータ上に格納し、ネットワーク経由でダウンロードさせることにより提供するように構成しても良い。また、本実施形態のマスタデータ更新装置として機能するサーバ１で実行されるプログラムをインターネット等のネットワーク経由で提供または配布するように構成しても良い。
【００５６】
また、本実施形態のプログラムを、ＲＯＭ等に予め組み込んで提供するように構成してもよい。
【００５７】
本実施形態のマスタデータ更新装置として機能するサーバ１で実行されるプログラムは、上述した各部（引き当て手段１１１、データ出力手段１１２、商品振替データ入力手段１１３、商品振替データ記憶手段１１４、商品発注データ入力手段１１５、商品発注データ記憶手段１１６、一覧表示手段１１７）を含むモジュール構成となっており、実際のハードウェアとしてはＣＰＵ（プロセッサ）が上記記憶媒体からプログラムを読み出して実行することにより上記各部が主記憶装置上にロードされ、引き当て手段１１１、データ出力手段１１２、商品振替データ入力手段１１３、商品振替データ記憶手段１１４、商品発注データ入力手段１１５、商品発注データ記憶手段１１６、一覧表示手段１１７が主記憶装置上に生成されるようになっている。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１      商品発注管理装置
２２    記憶部
１００      店間振替指示書
１１１      引き当て手段
１１２      データ出力手段
１１３      商品振替データ入力手段
１１４      商品振替データ記憶手段
１１５      商品発注データ入力手段
１１６      商品発注データ記憶手段
１１７      一覧表示手段
【先行技術文献】
【特許文献】
【００６０】
【特許文献１】特開２００２−７４１０２号公報
【図１】
2013054674.tif 000003
【図２】
2013054674.tif 000004
【図３】
2013054674.tif 000005
【図４】
2013054674.tif 000006
【図５】
2013054674.tif 000007
【図６】
2013054674.tif 000008
【図７】
2013054674.tif 000009
【図８】
2013054674.tif 000010
【図９】
2013054674.tif 000011
【図１０】
2013054674.tif 000012
【図１１】
2013054674.tif 000013
【図１２】
2013054674.tif 000014
【図１３】
2013054674.tif 000015